(57)【要約】【課題】消臭・除菌に好適な濃度であって、カツラなどの各部位全体を均一なオゾン雰囲気に保つことにより、カツラ全体を均一に脱臭・除菌処理しつつ、周囲環境に対する悪影響も防止できるようにする。【解決手段】ベースプレート２の上面に開閉可能に設けられ、かつ閉鎖状態で内部を実質的に密封し、プレート２との間で内部空間１ａを形成するドーム状の蓋５と、ベースプレート２上に固定され、カツラなどの脱臭・除菌対象物Ｋを設置する多孔板や硬質網体（金網）のような通気構造の設置手段１９と、設置手段１９の内側に配置され、空気中の酸素からオゾンを生成するオゾン生成手段２２と、生成されたオゾンを設置手段１９側に向けて送風する循環送風手段２５と、を備えた。【選択図】        図１
2004332142.tif 000002
【特許請求の範囲】
【請求項１】
ベースプレートの上面に開閉可能に設けられ、かつ閉鎖状態でベースプレートとの間で内部空間を形成する蓋と、
前記ベースプレート上に固定され、上面にカツラなどの脱臭・除菌対象物を設置する通気構造の設置手段と、
設置手段の内側に配置されたオゾン生成手段と、
生成されたオゾンを設置手段側に向けて送風するとともに、蓋により閉じられた内部空間を循環させるための循環送風手段と、
を備えたことを特徴とするカツラなどの脱臭・除菌装置。
【請求項２】
ベースプレートの上面に開閉可能に設けられ、かつ閉鎖状態で内部空間を形成する蓋と、
前記ベースプレート上に固定され、上面にカツラなどの脱臭・除菌対象物を設置する通気構造の設置手段と、
設置手段の内側に配置されたオゾン生成手段と、
生成されたオゾン含有空気を設置手段側に向けて送風するとともに、蓋により閉じられた内部空間を循環させるための循環送風手段と、
を備え、
装置の一部に設けた外気取入れ孔より内部空間内に外気を取入れ、装置の一部に開けられた排出口を通じて内部空間内の空気を外部に排出するようにしたことを特徴とするカツラなどの脱臭・除菌装置。
【請求項３】
前記設置手段の内側にマイナスイオン発生手段を配置したことを特徴とする請求項１又は２記載のカツラなどの脱臭・除菌装置。
【請求項４】
前記内部空間を加温するヒータ手段を設けたことを特徴とする請求項１乃至３のいずれか１項に記載のカツラなどの脱臭・除菌装置。
【発明の詳細な説明】
【０００１】
【発明の属する技術分野】
本発明は、カツラなどの脱臭・除菌装置に関するものである。
【０００２】
【従来の技術】
例えば、カツラ、帽子、ヘルメットなどを一定時間以上に亘ってかぶっていると、発汗や雑菌などによりにおいが付着しやすくなる。またにおいのみならず、雑菌の繁殖は頭皮に悪影響を与える。
【０００３】
しかし、特に美装用として使用されるカツラにあっては、公の場所での活動時間帯では人前では脱げない事情があり、かつらをはずすことができるのは、自宅などのプライベートな場所にいる時間帯に限られるため、日中の陰干しなどによる除菌作業は困難となっている。
【０００４】
そこで、従来では、オゾン生成手段を利用してカツラの脱臭除菌する装置が開発されている。例えば特許文献１の技術では、カツラなどの脱臭・除菌対象物を載置する載置台と、空気中の酸素からオゾンを生成するオゾン生成手段と、オゾン生成手段によって生成されたオゾン含有空気を前記載置台に開設された吹出し口から吹出させる送風手段を備えている。
【０００５】
【特許文献１】
登録実用新案第３０３７６５３号公報
【０００６】
【発明が解決しようとする課題】
しかしながら、最近では所定濃度以上のオゾンは酸化作用を有するために、人体に対して有害であることが認められており、前記技術では、カツラの除菌及び消臭に効果的オゾン濃度を安全かつ一定時間安定して保つ構造とは言えなかった。
【０００７】
オゾン濃度の安全範囲は、日本空気清浄協会の規定によれば、人体に対しては０．１ｐｐｍ以下であるとされているが、前記技術において、カツラのオゾン吹出し口に対峙する部位は高濃度のオゾンにさらされるものの、それ以外の部位はオゾンが充分に行渡らず、以上の数値を遵守した場合には充分な消臭・除菌機能を発現できるものでなかった。
すなわち、オゾンは酸化作用を及す対象物に接して酸化反応を生じ、その分子数を急速に減少させるため、対峙した部位のみ汚れ、及びにおい成分と反応して個数を減少し、カツラの外周に到達した時点では、その除菌及び消臭能力はかなり減衰するものとなる。
【０００８】
したがって、消臭・除菌作用をカツラ全体におよぼすためには、高濃度のオゾンを供給しなければならず、吹出し口付近での高濃度酸化作用による部分的な変色などを生じ、また、カツラ周囲に放散されたオゾンによるオゾン臭が鼻につくものとなるほか、前述のごとく人体に対して悪影響をおよぼすものとなっていた。
【０００９】
本発明は以上の課題を解決するものであり、その目的とするところは、消臭・除菌に好適な濃度であって、カツラなどの各部位全体を均一なオゾン雰囲気に保つことにより、カツラ全体を均一に脱臭・除菌処理しつつ、周囲環境に対する悪影響も防止できるようにしたカツラなどの脱臭・除菌装置を提供するものである。
【００１０】
【課題を解決するための手段】
前記目的を達成するため、本発明に係るカツラなどの脱臭・除菌装置は、図の実施の形態にも示すように、ベースプレート２の上面に開閉可能に設けられ、かつ閉鎖状態で内部を実質的に密封し、プレート２との間で内部空間１ａを形成するドーム状の蓋５と、ベースプレート２上に固定され、カツラなどの脱臭・除菌対象物Ｋを設置する多孔板や硬質網体（金網）のような通気構造の設置手段１９と、設置手段１９の内側に配置され、空気中の酸素からオゾンを生成するオゾン生成手段２２と、生成されたオゾンを設置手段１９側に向けて送風するとともに、蓋５により閉じられた内部空間１Ａを循環させるための循環送風手段２５と、を備えている。
【００１１】
さらに、本発明では、装置の作動中、装置の一部に設けた外気取入れ孔１７ａより内部空間１ａ内に外気を取入れ、装置の一部に開けられた排出口７を通じて内部空間１ａ内の空気を外部に排出するようにして、望ましくは、オゾン生成手段２２の作動を停止させた状態で、内部空気を外部空気と順次入れ換えるようにしている。
【００１２】
したがって本発明にあっては、蓋によって閉鎖された装置の内部空間内で生成したオゾン含有空気を循環させることで、カツラ全体にオゾンを均一に接触させて均一な脱臭除菌作用を行い、オゾンを内部で消費させてしまうため、オゾンが外部に拡散することがなく、オゾンによる人体に対する悪影響を未然に防止できる。
【００１３】
また、本発明によれば、前記外気取入れ・排出用送風手段２６の空気流路中にマイナスイオン発生手段２３を配置したことにより、マイナスイオンによるトリートメント効果なども生ずる。
【００１４】
さらに本発明では、前記外気取入れ・排出用送風手段２６の空気流路中に加熱手段２４を設けたことにより、水分除去作用を効率的に行うことができる。
【００１５】
したがって本発明では、最初の段階でカツラなどに付着した汗などの水分を除去し、次に比較的高濃度のオゾンの循環によりカツラなどの全体にオゾンを供給し、次いで、空気循環のみによりオゾン濃度を減じつつさらに、脱臭・除菌作用を行い、オゾン濃度が低減した状態で順次外気と入替えることで、人体に影響を与えることなく作業を終了できる。
【００１６】
【発明の実施の形態】
以下、本発明の好ましい実施の形態（第１の実施の形態）につき、添付図１乃至図６を参照して詳細に説明する。図１は本発明に係る脱臭・除菌装置のシステム構成を示す説明図、図２は同分解斜視図、図３は同組立状態を示す斜視図である。
図における装置１は、底部に複数の脚２ａを設けた略円盤状の床置き式ベースプレート２と、ベースプレート２の上部に一体化された環状のフレーム３と、フレーム３の一端部にヒンジ４を介して開閉可能な蓋５とを備えている。
ベースプレート２はウレタン塗装仕上げの木製品あるいは合成樹脂成形体などからなるもので、その中央には矩形状の溝６が開口され、後部一カ所には排気口７が形成され、さらに前部側にあって、フレーム３の外側における非円形の突出部位にはこれをくりぬいた内部にマイコン駆動式の制御部８を内蔵し、この制御部８の上面にパネル状をした表示部９を非円形部位とつら一状に設け、さらに表示部９の傍らには、コース選択ボタン１０及びスタートボタン１１を配置している。
【００１７】
前記蓋５は、略ドーム形をなし、不透明、半透明ないし透明のアクリル樹脂などからなる略半球状ドーム１２と、ドーム１２の周囲に一体化されたフランジ１４と、フランジ１４の下面に固着され、前記フレーム３の上縁に接して閉蓋状態で装置１の内部をほぼ気密に保持するためのガスケット１５を備えている。
【００１８】
また、前記蓋３の開閉端において、フレーム３の内側には閉蓋状態を検出するセンサ１６（図１参照）が配置されている。
【００１９】
前記溝６の開口部底面は底板１７で覆われ、この底板１７の中央上部には前記制御部８によって駆動制御される装置本体１８及びこれの周囲を覆った状態で対象物Ｋ（美装用カツラ、図１に想像線で示す）を設置するための略ドーム形をなす設置手段１９が配置されている。設置手段１９は、多孔板あるいは硬質ネット形などの多孔質の通気構造とされている。
【００２０】
前記装置本体１８は、左右二分割室とした下ケース２０及びこれの上部開口に嵌合された上ケース２１とを備えている。
下ケース２０の一方の分割室は有底であって、側面に空気取入れ口２０ａ  を形成したオゾン発生室であり、これの内部にはオゾン発生ユニット２２が内蔵されている。
下ケース２０の他方の分割室は無底であって、前記底板１７に形成されたパンチメタル状の多数の外気取入れ孔１７ａと連通するイオン発生室であり、これの内部にはマイナスイオン発生ユニット２３及びヒータユニット２４が配置されている。
前記上ケース２１も下ケース２０と同じく左右二分割室に区画され、その底板２１ａにはそれぞれ前記オゾン発生室に連通する空気循環用ファン２５、及びイオン発生室に連通する外気送風・排出用ファン２６が設けられており、各ファン２５，２６により上ケース２１の上面に開口された多数の通気孔２１ｂを通じて装置１内部に送風し、空気循環及び／または空気入替えを行うようになっている。
【００２１】
前記設置手段１９は、硬質ネット構造であり、順次径の異なる複数の針金状の水平環２７を前後一対の円弧状連結桿２８との交点部分で溶接などにより一体化し、その外周を樹脂コーティングしてカツラ形状に合わせたものであり、連結桿２８の左右端部２８ａは水平に曲成され、その端部２８ａを前記底板１７の左右に固定された断面コ字型のネット固定金具２９に形成された取付け孔に嵌め付けることにより、前記装置本体１８の上部及び側周囲を覆って自立状態で固定される。
【００２２】
以上の各ユニット２２，２３，２４、ファン２５，２６及び閉蓋状態検出センサのリード線は前記制御部１２に接続されており、制御部１２の制御信号に基づき順次駆動される。
【００２３】
なお図１において、符号３０は制御部１２及び前記各機器に対する給電用ＡＣアダプタ、３１は各種警告音を発生させるためのブザーである。
【００２４】
次に、以上の装置１を用いたカツラの脱臭・除菌作用を図４〜図６を用いて説明する。
先ず、ＡＣアダプタ３０を家庭用コンセントに接続した上で、図４に示すように開蓋状態で、設置手段１９上に対象物Ｋをかぶせ、矢印に示すごとく蓋５を閉じ、コース選択ボタン１０を押すことによって、除菌消臭モードを選択し、表示部９の表示にしたがって駆動モードを選択した上で、スタートボタン１１を押すことにより動作が実行される。
【００２５】
表示部９は図４の下部に拡大して示すように、図に向って左側には現在の動作を処理順序に従って表示するための文字及び動作中を点灯表示するＬＥＤが縦配列され、中央には、三つの駆動モードを表示するための文字及びこれの点灯表示用ＬＥＤが縦配列され、上部には解放禁止の表示及びこれの点灯表示用ＬＥＤが配置され、右端には７セグメント２桁の残時間表示部が配置されている。
実際の処理内容は「乾燥」、「脱臭除菌」、「排出」、「終了」の順で、その動作中にそれに応じた位置にＬＥＤが点灯する。
また、駆動モードは「お急ぎ」、「標準」、「念入り」の三種類であって、コース選択ボタン１０を押す毎にその三種類が順次選択され、残時間が表示される。
【００２６】
図５は、以上の表示内容に基づく処理手順の全体の流れを示すもので、ＡＣアダプタ３１をコンセントに差込むことで、電源入状態となり、制御部８は初期化される。
コース選択ボタン１０の順次押鍵より「お急ぎ」、「標準」、「念入り」が選択され、その駆動モードに応じて残時間表示がブリック点滅する（ＳＴ１〜ＳＴ１７）。
また、この段階で蓋５があいていたら、警告表示がなされる。警告表示にしたがって蓋５が閉じられると、警告表示は停止し、それぞれの駆動モード〜に応じたセグメント表示の時間を減じつつ脱臭・除菌処理が実行される（ＳＴ８〜ＳＴ１１）。
処理が終了（ＳＴ１２）すると再びステップＳＴ１の初期化状態に戻ることが繰返される。なお、初期化状態においては前回選択した駆動モードが表示されることになる。
【００２７】
図６は前記脱臭・除菌処理（ＳＴ１１）における具体的処理工程を示すものであり、タイマー処理により各工程が制御される。
すなわち、ステップＳＴ１１における脱臭・除菌処理が実行されると、最初に乾燥工程（ＳＴ１１１）が始り、マイナスイオン発生ユニット２３，ヒータユニット２４及びファン２５，２６が駆動される結果、図１の矢印に示すごとく内部の空気を循環させつつ一部の空気を外部から取入れ、かつ外部に排出することによって、装置１内を暖めながらマイナスイオン雰囲気にし、カツラＫに付着した汗などの水分を外部に排出する。
タイムアップ（ＳＴ１１２）によりユニット２３、２４及びファン２６は停止し、今度はオゾン放出工程（ＳＴ１１３）に切り替り、オゾン発生ユニット２２、及びファン２５のみが駆動され、装置１内部に空気を循環させつつユニット２２から発生した比較的高濃度のオゾンがカツラＫの内外を透過しつつ循環することでカツラＫを脱臭。除菌する。
タイムアップ（ＳＴ１１４）によりユニット２２の駆動は停止され、今度は放置工程（ＳＴ１１５）となり、送風ファン２５のみが駆動され、装置１内部にオゾンを含む空気を循環させ、これがカツラＫ内外を透過することで、順次脱臭・除菌を行いつつ、オゾン濃度を低減させる。放置工程の駆動時間は先のオゾン放出工程で、放出されたオゾン濃度が人体に対する影響のない濃度まで低減する時間に設定されている。
タイムアップ（ＳＴ１１６）により、今度は残留オゾン排出工程（ＳＴ１１７）に切り替り、送風ファン２５による装置１内部の空気を循環させると同時に送風ファン２６を間欠的に駆動し、残留オゾン濃度に応じて順次その間欠幅を短縮しつつ順次装置１の内部空気を外部空気に入換える。
この時同時にマイナスイオン発生ユニット２３が駆動され、装置内部はマイナスイオン雰囲気となり、カツラＫに対するトリートメント効果を得ることになり、タイムアップ（ＳＴ１１８）により、処理を終了する。
【００２８】
なお、前記各工程中、乾燥工程ＳＴ１１１、放置工程ＳＴ１１５、排出工程ＳＴ１１７実行中において蓋５が開けられると、警報が出力され、この警報に基づき、蓋５を閉じると警報が停止する処理（ＳＴ１２０〜ＳＴ１２３）がなされる。警告は、前記ＬＥＤの点滅及びブザー３１の連続鳴動などによる。但し、以上の各工程では、処理そのものは持続される。
また、オゾン放出工程ＳＴ１１３において蓋５が開けられると、警報が出力され、同時にオゾン発生ユニット２２、ファン２５の駆動、及びタイマー処理が停止され、警報に基づき蓋５を閉じると、警報は停止し、同時に放出工程が再開される（ＳＴ１２４〜ＳＴ１２８）。この処理は、蓋５の解放によるオゾンの周囲拡散を防止するために行われる。
【００２９】
以上における全処理時間は、例えば駆動モードで１０分、で２０分、で５０分などにそれぞれ設定されており、また、処理中ボタン１１が押される毎に処理時間短縮側にシフトされるようになっている。
【００３０】
なお、本実施形態ではマイナスイオン発生ユニット２３、ヒータユニット２４を設けているが、省略させることも可能である。この場合、単なるファン２５又はファン２６による送風及び空気入替えだけでも、乾燥効果を得ることができる。
【００３１】
また、本実施形態では、処理中開蓋されることで警報を発生させたり、処理を一時中断する構成としたが、電磁ロックなどを組込むことにより、処理中は開蓋できない構成とすることもできる。
【００３２】
さらに本実施形態では排気口７を開口したままとし、ファン２６の空気取込みによる内外気圧差によってここから内部空気を排出する構成としたが、ファン２５による内部空気循環時においてもここを通じて一部が外部に排出されるおそれもあるため、電磁弁などを設けて、オゾン雰囲気中では、排気口７を閉じ完全に漏洩防止構造とすることもできる。
【００３３】
またさらに本実施形態では床置き式としたが、壁掛タイプとすることも可能である。
【００３４】
さらにまた本実施形態では、脱臭・除菌対象物Ｋを美装用カツラとしたが、時代劇、映画撮影などに用いられるカツラ、帽子、ヘルメットなど、いわゆるかぶり物一般に適用できることは言うまでもない。
【００３５】
図７は、本発明の第２の実施の形態を示している。
第２の実施の形態に係る脱臭・除菌装置は、上記第１の実施の形態の簡略形であって、共通する構成部分には、共通する符号を付して、その詳細な説明は省略する。
【００３６】
この脱臭・除菌装置１は、ベースプレート２の上面に開閉可能に設けられ、かつ閉鎖状態で内部を実質的に密封し、プレート２との間で内部空間１ａを形成する略ドーム状の蓋５と、ベースプレート２上に固定され、カツラなどの脱臭・除菌対象物Ｋを設置する多孔板や硬質網体（金網）のような通気構造の略ドーム状の設置手段１９と、設置手段１９の内側に配置され、空気中の酸素からオゾンを生成するオゾン生成手段２２と、生成されたオゾンを設置手段１９側に向けて送風するとともに、蓋５により閉じられた内部空間１Ａを循環させるためのファン循環送風手段２５と、を備えている。
【００３７】
第２の実施の形態においても、第１の実施の形態と同様に、装置の一部に外気取入れ孔及び排出口を設け、外気取入れ孔より内部空間１ａ内に外気を取入れ、排出口を通じて内部空間１ａ内の空気を外部に排出するようにして、望ましくは、オゾン生成手段２２の作動を停止させた状態で、ファン循環送風手段２５を作動させて、内部空気を外部空気と順次入れ換えるようにしてもよい。
【００３８】
【発明の効果】
以上の説明により明らかなように、本発明によるカツラなどの脱臭・除菌装置にあっては、脱臭・除菌期間中は発生するオゾンを閉鎖空間中に閉じこめて循環させることで、脱臭・除菌に好適な濃度であって、カツラなどの各部位全体を均一なオゾン雰囲気に保つことにより、カツラ全体を均一に脱臭・除菌処理しつつ、人体及び周囲環境に対する悪影響を防止できる。
【図面の簡単な説明】
【図１】本発明に係る脱臭・除菌装置の第１の実施の形態のシステム構成を示す説明図である。
【図２】同分解斜視図である。
【図３】同組立状態を示す斜視図である。
【図４】同装置にカツラを設置した状態を示す一部拡大部分を示す斜視図である。
【図５】同装置における全体的処理手順を示すフローチャートである。
【図６】同脱臭・除菌処理における実行手順の具体的内容を示すフローチャートである。
【図７】本発明に係る脱臭・除菌装置の第２の実施の形態のシステム構成を示す説明図である。
【符号の説明】
１  脱臭・除菌装置
１ａ  内部空間
２  ベースプレート
５  蓋
７  排出口
８  制御部
１７  底板
１７ａ  外気取入れ孔
１８  装置本体
１９  設置手段
２２  オゾン発生ユニット（オゾン生成手段）
２３  イオン発生ユニット（マイナスイオン発生手段）
２４  ヒータユニット（ヒータ手段）
２５  循環用ファン（循環送風手段）
２６  外気取入れ・排出用ファン（外気取入れ・排出用送風手段）
Ｋ  対象物
【図１】
2004332142.tif 000003
【図２】
2004332142.tif 000004
【図３】
2004332142.tif 000005
【図４】
2004332142.tif 000006
【図５】
2004332142.tif 000007
【図６】
2004332142.tif 000008
【図７】
2004332142.tif 000009